【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
受信した印刷ジョブを印刷装置に送信する印刷処理装置であって、
シートの特性を示す特性情報を含むシート情報を記憶する記憶手段と、
特性情報が指定された印刷ジョブを外部装置から受信する受信手段と、
前記受信手段が受信した前記印刷ジョブを前記印刷装置に送信する送信手段と、
前記受信手段が受信した前記印刷ジョブにおいて指定された前記特性情報に基づいて、新しいシート情報を生成する生成手段と、
前記生成手段によって生成された前記新しいシート情報を、前記記憶手段と前記印刷装置の両方に記憶させる制御手段とを備えることを特徴とする印刷処理装置。
【請求項２】
前記記憶手段が記憶しているシート情報は、前記特性情報と、印刷を実行する際に必要な調整値を示す処理情報とを含み、
前記生成手段は、前記印刷ジョブにおいて指定された前記特性情報に処理情報を付加することで、前記新しいシート情報を生成することを特徴とする請求項１に記載の印刷処理装置。
【請求項３】
前記記憶手段が記憶している複数のシート情報の中から１つのシート情報を選択する選択手段を更に備え、
前記生成手段は、前記印刷ジョブにおいて指定された前記特性情報に、前記選択手段によって選択されたシート情報に含まれる処理情報を付加して、前記新しいシート情報を生成することを特徴とする請求項２に記載の印刷処理装置。
【請求項４】
前記選択手段は、前記印刷ジョブにおいて指定された前記特性情報に基づいて、前記記憶手段が記憶している前記複数のシート情報の中から１つのシート情報を選択することを特徴とする請求項３に記載の印刷処理装置。
【請求項５】
前記処理情報は、クリープずれ補正量、カール補正量、給紙さばきファン補正量のいずれか又は複数を示す情報であることを特徴とする請求項２又は４のいずれか１項に記載の印刷処理装置。
【請求項６】
前記印刷ジョブにおいて指定された前記特性情報を含むシート情報を前記記憶手段が記憶しているか否かを判定する判定手段を更に備え、
前記印刷ジョブにおいて指定された前記特性情報を含むシート情報を前記記憶手段が記憶していないと前記判定手段が判定した場合に、前記生成手段が新しいシート情報を生成することを特徴とする請求項１乃至５のいずれか１項に記載の印刷処理装置。
【請求項７】
前記印刷ジョブにおいて指定された前記特性情報を含むシート情報を前記記憶手段が記憶していると前記判定手段が判定した場合に、前記生成手段が新しいシート情報を生成することなく、前記受信手段が受信した前記印刷ジョブを前記送信手段が前記印刷装置に送信することを特徴とする請求項６に記載の印刷処理装置。
【請求項８】
前記新しいシート情報を前記記憶手段と前記印刷装置の両方に前記制御手段が記憶させた後に、前記受信手段が受信した前記印刷ジョブを前記送信手段が前記印刷装置に送信することを特徴とする請求項１乃至７のいずれか１項に記載の印刷処理装置。
【請求項９】
前記特性情報は、坪量、表面性のいずれか又は両方を示す情報であることを特徴とする請求項１乃至８のいずれか１項に記載の印刷処理装置。
【請求項１０】
シートの特性を示す特性情報と、印刷を実行する際に必要な調整値を示す処理情報とを含むシート情報を記憶する記憶手段と、
特性情報が指定された印刷ジョブを外部装置から受信する受信手段と、
前記印刷ジョブにおいて指定された前記特性情報に処理情報を付加することで新しいシート情報を生成する生成手段と、
前記印刷ジョブに基づいて印刷を実行する印刷手段とを備え、
前記記憶手段は、前記生成手段によって生成された前記新しいシート情報を記憶することを特徴とする印刷システム。
【請求項１１】
前記記憶手段が記憶している複数のシート情報の中から１つのシート情報を選択する選択手段を更に備え、
前記生成手段は、前記印刷ジョブにおいて指定された前記特性情報に、前記選択手段によって選択されたシート情報に含まれる処理情報を付加することで前記新しいシート情報を生成することを特徴とする請求項１０に記載の印刷システム。
【請求項１２】
前記選択手段は、前記印刷ジョブにおいて指定された前記特性情報に基づいて、前記記憶手段が記憶している前記複数のシート情報の中から１つのシート情報を選択することを特徴とする請求項１１に記載の印刷システム。
【請求項１３】
前記印刷ジョブにおいて指定された前記特性情報を含むシート情報を前記記憶手段が記憶しているか否かを判定する判定手段を更に備え、
前記印刷ジョブにおいて指定された前記特性情報を含むシート情報を前記記憶手段が記憶していないと前記判定手段が判定した場合に、前記生成手段が新しいシート情報を生成することを特徴とする請求項１０乃至１２のいずれか１項に記載の印刷システム。
【請求項１４】
前記印刷ジョブにおいて指定された前記特性情報を含むシート情報を前記記憶手段が記憶していると前記判定手段が判定した場合、前記生成手段が新しいシート情報を生成しないことを特徴とする請求項１３に記載の印刷システム。
【請求項１５】
前記特性情報は、坪量、表面性のいずれか又は両方を示す情報であることを特徴とする請求項１０乃至１４のいずれか１項に記載の印刷システム。
【請求項１６】
前記処理情報は、クリープずれ補正量、カール補正量、給紙さばきファン補正量のいずれか又は複数を示す情報であることを特徴とする請求項１０又は１５のいずれか１項に記載の印刷システム。
【請求項１７】
受信した印刷ジョブを印刷装置に送信する印刷処理装置の制御方法であって、
シートの特性を示す特性情報を含むシート情報を記憶手段に記憶する記憶ステップと、
シートの特性を示す特性情報が指定された印刷ジョブを外部装置から受信する受信ステップと、
前記受信ステップが受信した前記印刷ジョブを前記印刷装置に送信する送信ステップと、
前記受信ステップが受信した前記印刷ジョブにおいて指定された前記特性情報に基づいて、新しいシート情報を生成する生成ステップと、
前記生成ステップによって生成された前記新しいシート情報を、前記記憶手段と前記印刷装置の両方に記憶させる制御ステップとを備えることを特徴とする印刷処理装置の制御方法。
【請求項１８】
請求項１７に記載の印刷処理装置の制御方法の各ステップをコンピュータに実行させるためのプログラム。
【請求項１９】
シートの特性を示す特性情報と、印刷を実行する際に必要な調整値を示す処理情報とを含むシート情報を記憶手段に記憶する記憶ステップと、
特性情報が指定された印刷ジョブを外部装置から受信する受信ステップと、
前記印刷ジョブにおいて指定された前記特性情報に処理情報を付加することで新しいシート情報を生成する生成ステップと、
前記印刷ジョブに基づいて印刷を実行する印刷ステップとを備え、
前記記憶ステップは、前記生成ステップによって生成された前記新しいシート情報を記憶することを特徴とする印刷システムの制御方法。
【請求項２０】
請求項１９に記載の印刷処理システムの制御方法の各ステップをコンピュータに実行させるためのプログラム。
【手続補正２】
【補正対象書類名】明細書
【補正対象項目名】発明の名称
【補正方法】変更
【補正の内容】
【発明の名称】印刷処理装置、印刷システム、印刷処理装置の制御方法、印刷システムの制御方法、及びプログラム
【手続補正３】
【補正対象書類名】明細書
【補正対象項目名】０００１
【補正方法】変更
【補正の内容】
【０００１】
本発明は、印刷処理装置、印刷システム、印刷処理装置の制御方法、印刷システムの制御方法、及びプログラムに関する。
【手続補正４】
【補正対象書類名】明細書
【補正対象項目名】００１２
【補正方法】変更
【補正の内容】
【００１２】
本発明は、受信した印刷ジョブを印刷装置に送信する印刷処理装置であって、シートの特性を示す特性情報を含むシート情報を記憶する記憶手段と、特性情報が指定された印刷ジョブを外部装置から受信する受信手段と、前記受信手段が受信した前記印刷ジョブを前記印刷装置に送信する送信手段と、前記受信手段が受信した前記印刷ジョブにおいて指定された前記特性情報に基づいて、新しいシート情報を生成する生成手段と、前記生成手段によって生成された前記新しいシート情報を、前記記憶手段と前記印刷装置の両方に記憶させる制御手段とを備えることを特徴とする。